(57)【要約】【課題】  ２４時間稼動や無休稼動の情報処理装置に対して、情報処理装置を移動せずにＰＣＩカードの搭載/抜去を可能とした、実装構造を提供する。【解決手段】  本発明の情報処理装置の構造は上記の問題を解決するために、ＰＣＩカードを垂直に上下動可能な機構を備えている。上下動の移動機構は、テコの原理を用いて容易にかつ確実にＰＣＩカードの搭載/抜去を行うことができる。【選択図】  図１
2011100803.tif 000002
【特許請求の範囲】
【請求項１】
情報処理装置を移動せずにＬＯＷ ＰＲＯＦＩＬＥ ＰＣＩカードの搭載/抜去が可能であり、
該当するＰＣＩカードが上下動する機構は、テコの原理を応用しているが、テコの原理では円方向に荷重が掛かるため、ＰＣＩカードを垂直に上下動できるように、搭載/抜去時の移動ストロークを短くし、
支点の位置をＰＣＩカードから若干離すことにより、ほぼ垂直にＰＣＩカード上下動を可能とし、
キャリア内にガイドを設けることにより、ＰＣＩカードの垂直上下動をサポートしていることを特徴とする情報処理装置。
【発明の詳細な説明】
【技術分野】
【０００１】
本発明は情報処理装置の実装構造に係り、該情報処理装置は、複数のＰＣＩカードと各ＰＣＩカードが接続されるプリンティングサーキットボードで構成され、プリンティングサーキットボード上に用意されたＰＣＩカード接続用コネクタと各ＰＣＩカードが稼動時でも容易にかつ確実に搭載/抜去が可能なようにした情報処理装置の実装構造に関する。
【背景技術】
【０００２】
従来、システムラックに搭載された情報処理装置は、ＰＣＩカードの搭載/抜去時に該情報処理装置をシステムラック等から移動して、情報処理装置稼動時にＰＣＩカードの搭載/抜去を情報処理装置に対して、垂直方向に行うのが一般的だが、近年の情報処理装置では、定期保守等を除き２４時間稼動や無休稼動が主流である。コンピュータの分野では、ＰＣＩカードの故障等が発生した際、２４時間稼動や無休稼動の場合は、迅速に当該ＰＣＩカードの交換が必要であり、情報処理装置をシステムラック等から移動していては、迅速に当該ＰＣＩカードの交換が困難である。ＰＣＩカードの増設/撤去も同様である。また、近年は省スペース化により、情報処理装置の移動やＰＣＩカード交換作業エリアの確保が困難な場合がある。その際、ＰＣＩカードに構造部品(キャリア)を設けることで、情報処理装置に対しては、水平方向に搭載/抜去を行うことにより、容易にかつ確実にＰＣＩカードの交換が可能となる。
【先行技術文献】
【特許文献】
【０００３】
【特許文献１】特願2003-359524回路基盤カード及び電子機器
【発明の概要】
【発明が解決しようとする課題】
【０００４】
上記背景技術で述べた構造部品(キャリア)を用いて、ＰＣＩカードをコネクタに嵌合させる場合の問題点を以下に記す。ここでのＰＣＩカードは、キャリア使用時に確実に搭載および抜去を行う必要がある。また、近年では、ＬＯＷ ＰＲＯＦＩＬＥ ＰＣＩカードのみを搭載可能とする情報処理装置があり、ＰＣＩカードの搭載スペースが極端に狭くなっている場合があるため、ＰＣＩカードを嵌合する際のストロークを確保する必要がある。また、キャリア内でＰＣＩカードを上下動させてコネクタに嵌合させるが、確実に搭載するために、ＰＣＩカードを垂直に上下動させる必要がある。本発明が解決しようとする課題は上記問題を解決し、情報処理装置にＰＣＩカードを確実に搭載/抜去可能な実装構造を提供することにある。
【課題を解決するための手段】
【０００５】
本発明の情報処理装置の実装構造では、ＰＣＩカードを垂直に上下動可能な機構を備えている。一つは、ＰＣＩカードを垂直に上下動させて、搭載/抜去を可能とするには、上下動の範囲を約10ｍｍ確保する必要がある。その範囲を確保するために、ＰＣＩカードの上部の板金構造を可能な限り細くした。またＰＣＩカードの嵌合/抜去力にも耐えるようにメッキ鋼板を使用し強度確保を行った。もう一つは、ＰＣＩカードを搭載/抜去する際、テコの原理を用いて行うが、支点，力点の位置は構造制約上、位置決定は容易だがＰＣＩカードを搭載/抜去する作用点については、様々なＰＣＩカード形状があるため、それらのＰＣＩカードの搭載/抜去を実施できるように適切な荷重を得られる点を作用点とし、ＰＣＩカードの搭載/抜去を可能とした。さらにもう一つは、ＰＣＩカードを搭載/抜去時に上下動させるが、上下動させる箇所をメッキ鋼板にした場合、可動部が金属同士だと金属屑が発生する恐れがあるので、その可動部の一部に樹脂部材を使用することにより、金属屑の発生を低減している。
【発明の効果】
【０００６】
キャリアを用いてＰＣＩカードを搭載/抜去することで、情報処理装置を移動することが無いため作業エリアの省スペース化とスライドレール,アームが不要となり原価低減が実現可能である。また、情報処理装置を移動しないので、２４時間稼動や無休稼動の情報処理装置については、当該のＰＣＩカードのみ搭載/抜去が可能なため、電源を落とすこと無く、容易にＰＣＩカードの搭載/抜去が可能である。本機構（キャリア）を用いた場合、19インチラックに対し、横方向に16台のＰＣＩカードが実装可能である。
【図面の簡単な説明】
【０００７】
【図１】本発明の一実施形態による情報処理装置のＰＣＩカード搭載時と抜去時の平面図。
【図２】カバーを取り外した状態の実装構造概略を示す斜視図。
【図３】本発明の一実施形態による情報処理装置の実装構造概略を示す斜視図。
【発明を実施するための形態】
【０００８】
以下、本発明による情報処理装置の実装構造の実施形態を図面により詳細に説明する。図1は、ＰＣＩカード搭載時と抜去時を示す平面図である。ＰＣＩカード固定用ブラケット114をスライドさせて当該ＰＣＩカードをセットし、ＰＣＩカード固定用ブラケットを固定するネジ115にて固定する。レバー固定用ネジ110部分を支点、レバー板金102を力点、レバー板金102とＰＣＩカードサポート板金104が重なる箇所を作用点とし、テコの原理を応用して力点部分を上下動させることにより、ＰＣＩカードの搭載/抜去が可能となる。
【０００９】
また、テコの原理では、上下の移動が円方向となるため、レバー板金102の移動量を極力少なくし、スライドピン1 105,スライドピン2 109をベース板金101に固定し、ＰＣＩカードサポート板金104の長穴部分でスライドさせることにより垂直に上下動できるようにサポートしている。さらに、ガイドブロック107をガイドピン1 106とガイドピン2 108にてベース板金101に固定することにより、ＰＣＩカードサポート板金104をよりスムースに上下動可能としている。また、ガイドブロック107を樹脂部品にすることにより、ＰＣＩカードサポート板金104の上下動する際の金属屑発生を低減している。
【００１０】
図2,図3は本発明による情報処理装置の実装構造概略を示す斜視図である。図2はカバー板金116を外した状態の実装構造概略を示す斜視図である。図3は該情報処理装置501に本発明で記述しているＰＣＩカード搭載/抜去機構601を取付ける実装構造概略を示す斜視図である。
【符号の説明】
【００１１】
101  ベース板金
102  レバー板金
103  ベース板金サポートシート
104  ＰＣＩカードサポート板金
105  スライドピン1
106  ガイドピン1
107  ガイドブロック
108  ガイドピン2
109  スライドピン2
110  レバー固定用ネジ
111  カバー固定用ネジ
112  シャッター
113  キャリア固定用ファスナー
114  ＰＣＩカード固定用ブラケット
115  ＰＣＩカード固定用ブラケットを固定するネジ
カバー板金
117  ＰＣＩカード用コネクタを搭載したプリンティングサーキットボード
118ＰＣＩカード用コネクタ
501  該情報処理装置
601  ＰＣＩカード搭載/抜去機構
【図１】
2011100803.tif 000003
【図２】
2011100803.tif 000004
【図３】
2011100803.tif 000005